(57)【要約】【課題】雷サージが断続的に流入するような場合であっても、信号品質に影響を与えることなく、後続サージ電流が流入するのを抑制し、加入者側機器の信頼性を高める。【解決手段】ｘＤＳＬサービスが利用できるようにするｘＤＳＬサービス部４及びノーリンギングサービスが利用できるようにするノーリンギングサービス部１が接続された通信回線の通信線Ｌ１，Ｌ２を介して、ｘＤＳＬサービス部４やノーリンギングサービス部１等の加入者側機器の通信線と対地間に雷サージが侵入しても、後続サージ電流を抑制し、加入者側機器の破壊を防止すべく、加入者側機器に入る前の通信線Ｌ１，Ｌ２に接続されて、サージ電流が流れると抵抗値が増大し、当該サージ電流が収まると当該抵抗値が初期状態の低抵抗値に戻るＰＴＣサーミスタ１２ａ，１２ｂからなるサージ電流抑制部１２を設ける。【選択図】      図１
2006191498.tif 000002
【特許請求の範囲】
【請求項１】
ｘＤＳＬサービスが利用できるようにするｘＤＳＬサービス部及びノーリンギングサービスが利用できるようにするノーリンギングサービス部を有し、接続された通信線を介して、前記ｘＤＳＬサービス部やノーリンギングサービス部を含む加入者側機器に雷サージが侵入し、当該加入者側機器を通過してサージ電流がアースに流れることよる破壊を防止
すべく、前記通信線中に接続されて、サージ電流が流れると抵抗値が増大し、当該サージ電流が収まると当該抵抗値が初期状態の低抵抗値に戻るサージ電流抑制部を備え、該サージ電流抑制部が前記ｘＤＳＬサービス部及び前記ノーリンギングサービス部と組み合わされていることを特徴とする伝送装置。
【請求項２】
前記サージ電流抑制部が、流れる電流による発熱で温度上昇し、その抵抗値が温度上昇に応じて大きくなるＰＴＣサーミスタであることを特徴とする請求項１記載の伝送装置。
【請求項３】
一方の通信線に侵入した雷サージが、前記加入者側機器を通り他方の通信線に流れるのを抑制する避雷管を、当該２の通信線間に接続し、かつ、前記サージ電流抑制部を当該避雷管と前記ｘＤＳＬサービス部及びノーリンギングサービス部との間の前記通信線に接続したことを特徴とする請求項１又は２記載の伝送装置。
【発明の詳細な説明】
【技術分野】
【０００１】
本発明は、電話回線を用いてｘＤＳＬサービスとノーリンギングサービスの双方が利用できるようにされている場合に、雷サージが加入者側機器に侵入し、当該機器を通過してサージ電流が流れることによる破壊等の損傷が発生しないようにした伝送装置に関する。
【背景技術】
【０００２】
従来、ｘＤＳＬサービスとノーリンギングサービスの双方のサービスを利用可能にするための提案が種々なされている（特許文献１，２参照）。このような提案では、ｘＤＳＬサービス部とノーリンギングサービス部とを備え、これらのサービスに用いられる信号を多重化して送受信し、ｘＤＳＬサービス部とノーリンギングサービス部とで所望のサービスが利用できるように信号分離して用いる構成となっている。
【０００３】
なお、ｘＤＳＬは、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＲＡＤＳＬ（Ｒａｔｅ  Ａｄａｐｔｉｖｅ  Ａｓｙｍｍｅｔｒｉｃ  Ｄｉｇｉｔａｌ  Ｓｕｂｓｃｒｉｂｅｒ  Ｌｉｎｅ）、ＳＤＳＬ（Ｓｙｍｍｅｔｒｉｃ  Ｄｉｇｉｔａｌ  Ｓｕｂｓｃｒｉｂｅｒ  Ｌｉｎｅ）、ＨＤＳＬ（Ｈｉｇｈ  ｄａｔａ  ｒａｔｅ  Ｄｉｇｉｔａｌ  Ｓｕｂｓｃｒｉｂｅｒ  Ｌｉｎｅ）、ＶＤＳＬ（Ｖｅｒｙ  Ｈｉｇｈ  Ｓｐｅｅｄ  Ｄｉｇｉｔａｌ  Ｓｕｂｓｃｒｉｂｅｒ  Ｌｉｎｅ）などの総称であり、ｘＤＳＬサービスはかかる通信方式でデータ通信を行うものである。
【０００４】
また、ノーリンギングサービスはガスメータの検針を遠隔検針する際等において、電話機の発呼を行わないサービスを言う。
【０００５】
このような構成の一例を図２に示し説明する。電話局２にはガス検針管理センタ３及び加入者側機器が通信線Ｌ１，Ｌ２を介して接続されている。加入者側機器には、ノーリンギングサービス部１、加入者保安器９、ｘＤＳＬサービス部４が設けられ、またノーリンギングサービス部１には網制御部（ＮＣＵ：Ｎｅｔｗｏｒｋ  Ｃｏｎｔｒｏｌ  Ｕｎｉｔ）５及びガス検針器６が接続され、ｘＤＳＬサービス部４にはパーソナルコンピュータ（パソコン）７や電話機８が接続されている。
【０００６】
そして、通信線Ｌ１，Ｌ２には、通話やノーリンギングサービスに利用される音声帯域信号と、パソコン等のデータ通信用のｘＤＳＬ信号とが多重化されて伝送するようになっている。
【０００７】
ノーリンギングサービス部１には、ハイパスフィルタ１３、第１及び第２ローパスフィルタ１４，１５が設けられ、電話局２からの多重化信号のうちｘＤＳＬ信号はハイパスフィルタ１３を通過し、音声帯域信号は第１ローパスフィルタ１４を通過することでこれらの信号の分離が行われる。そして、音声帯域信号は網制御部５に入力し、ここでノーリンギングサービスの信号が含まれるか否かの検出が行われ、その検出結果に応じてリレーを動作させて回線制御が行われる。
【０００８】
ところが、通信線Ｌ１，Ｌ２を介して雷サージがノーリンギングサービス部１から最終端末までの機器（本明細書では、これらの機器を総称して加入者側機器と記載する）に侵入すると、これらの機器が破壊等の損傷を受けてしまうことがあるので、図２に示すように、通信線Ｌ１，Ｌ２間には避雷管１１が接続され、また第１ローパスフィルタ１４の入力ラインをなす通信線Ｌ１中に抵抗体１７が接続されている。
【０００９】
この避雷管１１は、一方の通信線Ｌ１（Ｌ２）を介して侵入した雷サージが加入者側機器を経て他方の通信線Ｌ２（Ｌ１）に抜けることによる当該加入者側機器での損傷を防止するために設けられ、通信線Ｌ１，Ｌ２間の電位差が所定値以上になると放電を起こして当該通信線Ｌ１．Ｌ２間を短絡させることにより後段機器への雷サージの侵入を防止するものである。
【００１０】
一方、抵抗体１７は通信線Ｌ１，Ｌ２間の電位差が所定値以下の場合には避雷管１１が放電しないため、このような条件の雷サージによるサージ電流が加入者側機器に流れて損傷を起こすことがあるので、これに対応するために雷サージの侵入に対する入力インピーダンスを高めてサージ電流が流れ難くすることで加入者側機器の損傷を防止するために設けられている。
【００１１】
従って、抵抗体１７の抵抗値は高いことが好ましいが、かかる抵抗値を高くすることは本来の信号を減衰させる等による信号品質の低下をもたらすので、実際には信号品質と耐サージ電流との観点から選定される。
【特許文献１】特開２０００−９６６６９号公報
【特許文献２】特開２０００−３１６０６０号公報
【発明の開示】
【発明が解決しようとする課題】
【００１２】
しかしながら、前述した内容においては、通信線間に雷サージが侵入した場合についてはこれを防護するように考慮されているが、一方の通信線と対地間に雷サージが侵入した場合については、何等考慮がなされていなかった。
【００１３】
例えば、図２に示す通信線Ｌ２（又はＬ１）と加入者保安器９のアースとの間、又は通信線Ｌ２（又はＬ１）とＡＤＳＬモデム４２のアースとの間、又は通信線Ｌ２（又はＬ１）とパソコン７のアースとの間にサージ電流が流れた場合には、いずれかの機器が破壊されるという問題が発生していた。特に多重雷のように雷サージが断続的に複数回侵入するような場合には、かかる破壊等の損傷が発生し易いという問題があった。
【００１４】
そこで、本発明は、雷サージが断続的に流入するような場合であっても、信号品質に影響を与えることなくサージ電流が一時的にアースに流れても、後続のサージ電流を抑制することができるようにして信頼性を向上させた伝送装置を提供することを目的とする。
【課題を解決するための手段】
【００１５】
上記課題を解決するため、請求項１に係る発明は、ｘＤＳＬサービスが利用できるようにするｘＤＳＬサービス部及びノーリンギングサービスが利用できるようにするノーリンギングサービス部が接続された回線における通信線を介して、ｘＤＳＬサービス部やノーリンギングサービス部等の加入者側機器に雷サージが侵入し、特に当該加入者側機器のアース側にサージ電流が流れることによる破壊を防止すべく、サージ電流が流れると抵抗値が増大し、当該サージ電流が収まると当該抵抗値が初期状態の低抵抗値に戻るサージ電流抑制部を有することを特徴とする。
【００１６】
これにより、通常時には入力インピーダンスを低くすることができ、音声帯域信号やｘＤＳＬ信号の信号品質低下が防止できると共に異常時には入力インピーダンスが高くなる
のでサージ電流を抑制することができ、信頼性が向上する。
【００１７】
また、請求項２に係る発明は、サージ電流抑制部が、流れる電流による発熱で温度上昇し、その抵抗値が温度上昇に応じて大きくなるＰＴＣサーミスタであることを特徴とする。
【００１８】
これにより、多重雷のように断続的に雷サージが侵入するような場合には、徐々に温度上昇するため破壊の防止効果が向上する。
【００１９】
さらに、請求項３にかかる発明は、一方の通信線に侵入した雷サージが、加入者側機器を通り他方の通信線に流れるのを抑制する避雷管を、当該２の通信線間に接続し、かつ、サージ電流抑制部が当該避雷管と加入者側機器との間の通信線に接続したことを特徴とする。
【００２０】
これにより、複数の機器から加入者側機器が構成されても、１のサージ電流抑制部でこれらの機器を通過するサージ電流の抑制が可能になる。
【発明の効果】
【００２１】
本発明によれば、サージ電流抑制部を設けたので、通常時には入力インピーダンスを低くすることができ、音声帯域信号やｘＤＳＬ信号の信号品質低下が防止できると共に異常時には入力インピーダンスが高くなるのでサージ電流が抑制でき破壊等の損傷を防止するようになって信頼性が向上する。
【発明を実施するための最良の形態】
【００２２】
本発明の実施の形態を図を参照して説明する。図１は、本発明に係る防雷部を備えたノーリンギングサービス及びｘＤＳＬサービスが利用できる回路構成を示すブロック図である。なお、以下の説明では、ノーリンギングサービスのサービス対象としてガス検針を例に説明するが、本発明はかかる場合に限定を受けるものでないことを予め付言する。またｘＤＳＬサービスとしてＡＤＳＬサービスを例に説明する。
【００２３】
電話局２と接続される通信線Ｌ１，Ｌ２からなる回線には、ノーリンギングサービスを利用するガス検針管理センタ３及び加入者側機器が接続され、この加入者側機器と電話局２との間に防雷部１０が設けられている。
【００２４】
この加入者側機器には、ノーリンギングサービスの利用を可能にするノーリンギングサービス部１、このノーリンギングサービスの対象機器となる網制御部５及びガス検針器６、ｘＤＳＬサービスの利用を可能にするｘＤＳＬサービス部４、加入者保安器９、パソコン７、電話機８が設けられている。
【００２５】
ｘＤＳＬサービス部４は、スプリッタ４１及びＡＤＳＬモデム４２を備えている。スプリッタ４１は、電話局２からの多重化信号を音声帯域信号とｘＤＳＬ信号とに分離して、音声帯域信号は電話機８に送り、ｘＤＳＬ信号はＡＤＳＬモデムを介してパソコンに送るものであり、また逆に電話機８からの音声帯域信号とパソコン７からのｘＤＳＬ信号を多重化信号にしてこれを電話局２に送出するものである。
【００２６】
ＡＤＳＬモデム４２は、通信線Ｌ１，Ｌ２にはアナログ信号が伝送し、パソコン７ではディジタル信号が用いられるため、これらアナログ信号とディジタル信号との間での変復調を行う。
【００２７】
ノーリンギングサービス部１は、ハイパスフィルタ１３、第１及び第２ローパスフィルタ１４，１５、ダイオード部１６、防雷部１０等により構成され、このノーリンギングサービス部１に網制御部５が接続されている。
そして、第１ローパスフィルタ１４、網制御部５及び第２ローパスフィルタ１５が直列に接続され、これらがハイパスフィルタ１３と並列に接続されて、その後ダイオード部１６と接続されている。
【００２８】
このハイパスフィルタ１３は、通信線Ｌ１，Ｌ２に接続されたコンデンサ１３ａ，１３ｂ及びコンデンサ１３ｃ，１３ｄ、通信線Ｌ１，Ｌ２間に接続されたインダクタ１３ｇを備えて、これらにより決まる時定数以上の周波数のｘＤＳＬ信号のみを通過するように形成されている。
【００２９】
なお、コンデンサ１３ａ，１３ｂとコンデンサ１３ｃ，１３ｄとには、これらと並列に避雷管１３ｅ，１３ｆが設けられて、雷サージにより当該コンデンサ１３ａ，１３ｂやコンデンサ１３ｃ，１３ｄに所定電圧が加わった場合に短絡することで、コンデンサ１３ａ〜１３ｄが絶縁破壊等を起こすのを防止する作用をなしている。
【００３０】
第１及び第２ローパスフィルタ１４，１５は同じ構成で、各通信線Ｌ１，Ｌ２に接続されたインダクタ１４ａ，１４ｂ及び１５ａ，１５ｂ、通信線Ｌ１，Ｌ２間を接続するように設けられたコンデンサ１４ｃ，１５ｃを備えて、これらにより決まる時定数以下の周波数の音声帯域信号のみを通過させるように形成されている。
【００３１】
網制御部５は、リレー５１及び検出器５２を有している。このリレー５１のコモン端子ｃには、第１ローパスフィルタ１４側の通信線Ｌ１，Ｌ２が接続され、接点ａには第２ローパスフィルタ１５側の通信線Ｌ１，Ｌ２が接続されている。また接点ｂにはガス検針器６が接続されている。
【００３２】
検出器５２は、第１ローパスフィルタ１４からの音声帯域信号にノーリンギング信号が含まれるか否かを検出して、その検出結果に応じてリレー５１を動作させることにより回線制御する。
【００３３】
ダイオード部１６は、電話機８がオンフック時に、加入者保安器９やスプリッタ４１等の加入者側機器がハイインピーダンスとなり、音声帯域信号における特定周波数の信号が減衰して、第１ローパスフィルタ１４や第２のローパスフィルタ１５の伝送特性に悪影響を与えるのを抑制する。
【００３４】
防雷部１０は、避雷管１１及びサージ電流抑制部１２から構成されている。避雷管１１は通信線Ｌ１，Ｌ２間を接続して設けられて、雷サージにより通信線Ｌ１，Ｌ２間に所定の電位差（例えば、数百Ｖ）以上の電位差が発生すると当該通信線Ｌ１，Ｌ２を短絡することで、後段機器への雷サージの侵入を防止するものである。
【００３５】
サージ電流抑制部１２は、各通信線Ｌ１，Ｌ２中に接続されたＰＴＣ（Ｐｏｓｉｔｉｖｅ  Ｔｅｍｐｅｒａｔｕｒｅ  Ｃｏｅｆｆｉｃｉｅｎｔ）サーミスタ１２ａ，１２ｂを備えている。
【００３６】
このＰＴＣサーミスタ１２ａ，１２ｂは、通常時には１０Ω程度の抵抗体として作用するが、短時間でも数十Ａ以上の電流が流れるとジュール熱による温度上昇がおき、これに伴い抵抗値が上昇して１０６Ω程度の抵抗体となる素子であり、発熱が収まると比較的短時間（例えば、数分）で元の低抵抗状態に戻る素子である。
【００３７】
このような構成で、通話やデータ通信を行う場合には、音声帯域信号やｘＤＳＬ信号が重畳された多重化信号が電話局２と加入者側機器との間を伝送する。
通常時、電話局２からの多重化信号は、防雷部１０を通過して、第１ローパスフィルタ１４とハイパスフィルタ１３とにより音声帯域信号とｘＤＳＬ信号とに分離される。
【００３８】
第１ローパスフィルタ１４からの音声帯域信号は、網制御部５に入力し、ここで検出器５２によりノーリンギング信号が含まれているか否かの検出が行われる。ノーリンギング信号が含まれない場合には、リレー５１は図１に示すようにコモン端子ｃと接点ａが接続された状態となり、音声帯域信号は第２ローパスフィルタ１５を介してダイオード部１６に入り、ここでｘＤＳＬ信号と混合されて再度多重化信号となってｘＤＳＬサービス部４に入力する。
なお、この場合の第２ローパスフィルタ１５は、ハイパスフィルタ１３を通過したｘＤＳＬ信号が網制御部５側に回り込まないようにする作用をなしている。
【００３９】
加入者保安器９は、電話機引込口や別棟への配線に設置されて、雷サージなどの異常電圧から宅内機器や人体が被害を防止又は抑制するために用いられている。
【００４０】
そして、多重化信号はスプリッタ４１で音声帯域信号とｘＤＳＬ信号とに分離され、音声帯域信号は電話機８に入力し、ｘＤＳＬ信号はＡＤＳＬモデム４２によりアナログ信号からディジタル信号に変換されてパソコン７に入力する。
【００４１】
パソコン７や電話機８からの信号は、上述した手順と逆の手順に従い多重化信号となり電話局２に送られる。
【００４２】
また、検出器５２が音声帯域信号にノーリンギング信号が含まれていると判断した場合には、リレー５１のコモン端子ｃは接点ｂと接続された状態となる。これにより、音声帯域信号は第２ローパスフィルタ１５側に出力されないようになる。そして、ガス検針器６からの検針信号が第１ローパスフィルタ１４を介して電話局２に送られてガス検針管理センタ３に送られる。
【００４３】
一方、雷サージが入力して通信線Ｌ１，Ｌ２間に数百Ｖ以上の電庄が加わると、避雷管１１が放電を起こして通信線Ｌ１，Ｌ２管を短絡することで線間における後段機器への雷サージの侵入を防止する。
【００４４】
また、通信線Ｌ２（又はＬ１）と対地間に雷サージが侵入した場合は、防雷部１０を介してサージ電流は加入者側機器を通過し、アースに流れる。
【００４５】
このようなサージ電流は短時間で単発的であれば、当該箇所の破壊を引き起こすことも少ないが、多重雷が侵入するような場合には、かかるサージ電流が繰り返し流れるため、破壊を起こしやすくなる。
【００４６】
しかし、本発明では、かかるサージ電流がＰＴＣサーミスタ１２ａ，１２ｂを通過すると、当該ＰＴＣサーミスタ１２ａ，１２ｂが温度上昇して抵抗値が急激に１０６Ω程度の高抵抗値になるので、後続の雷サージがあってもサージ電流は流れず、加入者側機器の破壊を防止できるようになる。なお、ＰＴＣサーミスタ１２ａ，１２ｂは発熱が収まると比較的短時間（例えば、数分）で元の低抵抗状態に戻る。
【００４７】
以上述べたごとく、本発明によるＰＴＣサーミスタ１２ａ，１２ｂを用いる構成は、通信線と対地間に雷サージが侵入した場合でも、サージ電流を抑制し、加入者側機器の破壊を防止することができる。また、ＰＴＣサーミスタ１２ａ，１２ｂは通常は１０Ω程度の低抵抗体であるため、実用レベルにおいて音声帯域信号やｘＤＳＬ信号を減衰させて信号品質を低下させるようなことはない。
【図面の簡単な説明】
【００４８】
【図１】本発明を実施するための実施の形態に説明される回線構成例を示すブロック図である。
【図２】従来の技術の説明に適用される回線構成例を示すブロック図である。
【符号の説明】
【００４９】
Ｌ１，Ｌ２  通信線
１  ノーリンギングサービス部
２  電話局
３  ガス検針管理センタ
４  ｘＤＳＬサービス部
５  網制御部
６  ガス検針器
７  パソコン
８  電話機
９  加入者保安器
１０  防雷部
１１，１３ｅ，１３ｆ  避雷管
１２  サージ電流抑制部
１２ａ，１２ｂ  ＰＴＣサーミスタ
１４  第１ローパスフィルタ
１５  第２ローパスフィルタ
１６  ダイオード部
１７  抵抗体
５１  リレー
５２  検出器
【図１】
2006191498.tif 000003
【図２】
2006191498.tif 000004